(57)【要約】【課題】火災時、熱の影響により許容外の大きなギャップ開口が生じないことを確実にする、テレスコピック式ドアのエレベータ昇降路ドアを提案する。【解決手段】エレベータ昇降路閉鎖装置と、エレベータ昇降路閉鎖装置の防火要求を満たす方法と、その取り付け方法とを提供する。このエレベータ昇降路閉鎖装置において、ドアフレーム２は、閉鎖縁３の領域に少なくとも２つの部品２０ａ、２０ｂで構成され、これらの部品は、熱の影響下で互いに対して位置をシフトさせる図５、２０ａ’。火災時、第１のドアフレーム部品２０ａは、第２のドアフレーム部品２０ｂから分離し、第１のドアフレーム部品は、熱の影響により湾曲し、ドア扉１ａの前に移動するのに対して、第２のドアフレーム部品２０ｂは、実質的に元の形状を保つ。【選択図】      図５
2004338940.tif 000002
【特許請求の範囲】
【請求項１】
少なくとも１枚のドア扉（１）およびドアフレーム（２）を有し、閉鎖状態のさい、閉鎖側ドア扉（１ａ）と閉鎖側ドアフレーム（２０）とで、閉鎖縁領域（３）が形成される、テレスコピック式ドアのエレベータ昇降路閉鎖装置であって、前記ドアフレームが、閉鎖縁領域において、少なくとも第１のドアフレーム部品（２０ａ）と、第２のドアフレーム部品（２０ｂ）から構成され、前記２つのドアフレーム部品（２０ａ、２０ｂ）が、熱により分離可能なように少なくとも部分的に接続され、前記第１のドアフレーム部品（２０ａ）が、規定の熱応力下において、前記第２のドアフレーム部品（２０ｂ）に対して位置を少なくとも部分的に変化させることを特徴とする、エレベータ昇降路閉鎖装置。
【請求項２】
前記第１のドアフレーム部品（２０ａ）と、前記第２のドアフレーム部品（２０ｂ）とで、ラビリンスを形成することを特徴とする、請求項１に記載のエレベータ昇降路閉鎖装置。
【請求項３】
前記第１のドアフレーム部品（２０ａ）および前記第２のドアフレーム部品（２０ｂ）が、壁または基礎垂直材に選択的に固定されることを特徴とする、請求項１または２に記載のエレベータ昇降路閉鎖装置。
【請求項４】
前記第１のドアフレーム部品（２０ａ）が、閉鎖縁領域（３）において、前記第２のドアフレーム部品（２０ｂ）に熱により着脱可能に接続（４）されることを特徴とする、請求項３に記載のエレベータ昇降路閉鎖装置。
【請求項５】
前記第１のドアフレーム部品（２０ａ）および前記第２のドアフレーム部品（２０ｂ）が、上側および／または下側閉鎖縁領域（３）にさらに堅固に固定接続されることを特徴とする、請求項４に記載のエレベータ昇降路閉鎖装置。
【請求項６】
前記第１のドアフレーム部品（２０ｂ）および前記第２のドアフレーム部品（２０ｂ）は、異なる材料からなることを特徴とする、請求項５に記載のエレベータ昇降路閉鎖装置。
【請求項７】
少なくとも１枚のドア扉（１）および複数部品からなるドアフレーム（２）を有するテレスコピック式ドアのエレベータ昇降路閉鎖装置の防火要求を満たす方法であって、前記ドアフレーム部品の相互の位置が、規定の熱応力下で互いに対して少なくとも部分的に変化することを特徴とする方法。
【請求項８】
少なくとも１枚のドア扉（１）および複数部品からなるドアフレーム（２）を有するテレスコピック式ドアのエレベータ昇降路閉鎖装置の取り付け方法であって、前記ドアフレーム部品が、壁または基礎垂直材に固定されることを特徴とする方法。
【発明の詳細な説明】
【技術分野】
【０００１】
本発明は、ＢＳ４７６、ＵＬ１０Ｂ、またはＤＩＮ４１０２などの知られている規格で求められるような防火要求を備えたエレベータ設備に使用されることが好ましい、特許請求の範囲に規定されるエレベータ昇降路閉鎖装置に関する。
【背景技術】
【０００２】
エレベータ昇降路閉鎖装置により、階からケージへのアクセスが可能となる。この閉鎖装置は、ドアフレームおよびドア扉の主要な部品からなる。ドアフレームは、建物のタイプに応じて、壁または基礎フレーム上に直接接続される。少なくとも１つのドア扉が、ドアフレームに摺動可能に取り付けられる。ドア扉の配置の可能な形態に応じて、１枚扉、または複数枚扉からなるテレスコピック式ドアまたは中央ドアとが区別される。テレスコピック式ドアは、片側で開閉するのに対して、中央ドアは、ドアが開く中央の位置から、またはドアが開く中央の位置に向かって、両側で開閉する。
【０００３】
テレスコピック式ドアのエレベータ昇降路閉鎖装置が閉じられている場合、閉鎖側のドア扉と閉鎖側のドアフレームとで、閉鎖縁領域を形成する。閉鎖縁領域は、例えば、１９９９年５月５日の第１２回会議の「Ｖｅｒｅｉｎｉｇｕｎｇ  ｄｅｒ  Ｔｅｃｈｎｉｓｃｈｅｎ  Ｕｂｅｒｗａｃｈｕｎｇｓｖｅｒｅｉｎｅ」専門家委員会（ベルリン）の議事録に記載されているように、一般的に、ラビリンスとして形成される。
【０００４】
このエレベータ昇降路閉鎖装置では、規格に従って、火災およびそれによって規定された熱応力により、熱応力が印加された時に閉鎖側ドアフレームにゆがみが生じるという問題がある。このゆがみにより、閉鎖側ドア扉が押しのけられてしまい、結果的に、規格の許容範囲外の大きなギャップが生じてしまう。ＢＳ４７６に準拠した規格要求では、部品２０（完全な状態）の場合、例えば、６ミリメートルの許容可能なギャップサイズが規定されている。
【０００５】
現在の一般的な解決方法では、閉鎖側ドアフレームを堅い接続支持体により壁に接続することにより、または、ラビリンスの深さを３５ミリメートルよりも適切に深く部分的に大きくなるように形成することにより、このようなゆがみと、結果的に生じるドア扉の押しのけが抑制される。これらの解決方法では、製造と組み立てにコストがかかったり、審美的効果が損なわれたりする。
【０００６】
英国特許出願公開第２３５２７５４号明細書において、ドア扉とドアフレームとの間にあるギャップを封止するブラシ状の煙シーリング要素が開示されている。このギャップシールの目的は、建物に冷温の煙が広がるのを防ぐことである。この解決方法は、エレベータ昇降路閉鎖装置へのアクセスのすぐ近くで火災がおきた場合のように、エレベータドアが炎に直接さらされた場合に機能しなくなる。ブラシは溶融したり燃え尽きたりして、エレベータ昇降路閉鎖装置は、大きなドアギャップが生じるほど、熱負荷の影響下で変形されることにより、エレベータ昇降路に、ひいては、他の階層にも火災が広がるという危険性が増す。
【０００７】
【特許文献１】英国特許出願公開第２３５２７５４号明細書
【非特許文献１】「Ｖｅｒｅｉｎｉｇｕｎｇ  ｄｅｒ  Ｔｅｃｈｎｉｓｃｈｅｎ  Ｕｂｅｒｗａｃｈｕｎｇｓｖｅｒｅｉｎｅ」専門家委員会（ベルリン）議事録、第１２回会議、１９９５年５月５日
【発明の開示】
【発明が解決しようとする課題】
【０００８】
本発明の目的は、火災時、熱の影響により許容外の大きなギャップ開口が生じないことを確実にする、テレスコピック式ドアのエレベータ昇降路ドアを提案することである。本発明により、現在の一般的な解決方法から生じる欠点が解消されるであろう。
【課題を解決するための手段】
【０００９】
特許請求の範囲により規定された本発明は、この目的を満たす。
【００１０】
テレスコピック式ドアのエレベータ昇降路閉鎖装置の場合、閉鎖状態のさい、閉鎖側ドア扉と閉鎖側ドアフレームとで、閉鎖縁領域を形成する。本発明によれば、ドアフレームは、閉鎖縁領域において複数部品になるように構成される。少なくとも１つのドアフレーム部品が、規定の熱応力下で、別のドアフレーム部品に対してその位置を少なくとも部分的に変化させる。ドアフレーム部品は、互いに熱により分離されるように、または互いに熱により分離可能であるように、壁または基礎構造に独立して固定される。本発明の利点は、特に火災時、ドアフレームの部品が、ドア扉を押しのけずに、火災により規定される熱応力によりドア扉の前に移動することができることである。ラビリンスの深さは、閉鎖縁領域において対応して小さくなるように形成されることができる。これにより、審美的である省スペース化の解決方法が得られる。
【００１１】
２つのドアフレーム部品は、ラビリンスを形成することが有利である。２つの部品の分離は、ラビリンスにより規定された縁に位置することが好ましい。このような構造的解決方法により、ギャップの形成は低減され、結果的に、有益な審美的形状が得られる。
【００１２】
有利な構造において、２つのドアフレーム部品は、壁や基礎フレームに直接固定される。これにより、建物のタイプに応じて、経済的かつ組み立てに最適な解決方法が得られる。
【００１３】
熱による分離性は、２つの部品が、例えば、プラスチック材料のリベットまたは接着剤により結合されるか、または、２つの部品が、留め具のバイアスによりともに押圧されるということにより達成されることが有利である。これらの構造形態により、処理が重大ではない、２つのドアフレーム部品を接続するための経済的な方法が得られる。さらに、損傷を受けた場合、個々の部品の取り替えが可能である。さらに、２つの部品は、ドアフレーム部品の熱的に負荷されない下側および上側領域においてともに固定して接合できる。このように固定することによって、動作により負荷の熱による分離可能な接続が取り除かれるため、より強い負荷がかかる場合の損傷が防止される。
【００１４】
本発明によれば、２つのドアフレーム部品は、異なる材料からなることができる。これにより、顧客の要望に応じた審美的な解決方法が得られる。
【００１５】
概して、本発明により達成される利点は、火災時、ドア扉自体が押しのけられることなく、ドアフレームの第１の部品が、ドア扉の前に移動することができ、ドアフレームの第２の部品が、基礎フレームまたは壁上に熱的に分離して案内されることにより、ドア扉に加えられる圧力を著しく低減することによって、閉鎖縁領域に許容外の大きなギャップ開口が生じないようにするということに特に見受けられる。
【００１６】
以下、図面を参照しながら、実施形態の例に基づいて、さらに詳細に本発明を説明する。
【発明を実施するための最良の形態】
【００１７】
全ての図において、１枚扉または複数枚扉からなるテレスコピック式ドアのエレベータ昇降路閉鎖装置の閉鎖側ドア扉が、参照符号１ａで示されている。全ての図において、閉鎖縁を形成するドアフレームの部品は、参照符号２０（２０ａ、２０ｂ）で示されている。図１において、閉鎖縁の領域は、参照符号３で表されている。矢印Ｖは、ドア扉の閉鎖方向を表す。図３から図６において、建物の壁または基礎垂直材が、参照符号５ａ、５ｂで示されている。
【００１８】
図５に、本発明による解決方法の１つの可能な構造モードが示されている。閉鎖側ドアフレーム２０は、熱により分離可能であるように接合位置でともに接続された、２つのドアフレーム部品２０ａおよび２０ｂからなる。第１のドアフレーム部品２０ａは、図示した基礎支柱５ｂに固定される。第２のドアフレーム部品２０ｂは、基礎垂直材５ｂに同様に固定される。これらが合わさって、現在一般的な範囲において閉鎖側ドアフレームの全体的なユニットが形成される。
【００１９】
火災時、熱により分離可能な接続４は、発生した熱によりその結合力を失う。その結果、第１のドアフレーム部品２０ａは、熱応力に応じて自由に変形することができるが、それによって、ドア扉１ａを押しのけることはない。第２のドアフレーム部品２０ｂは、第１のドアフレーム部品２０ａにより直接の熱放射から保護される。第２のドアフレーム部品２０ｂは、それに応じてわずかに変形するだけであり、それによって、ドア扉に低減された圧力をかける。さらに、生じ得るギャップが、前方に押された第１のドアフレーム部品２０ａによりさらに覆われる。
【００２０】
閉鎖縁３は、ラビリンスとして構成されることが有利であり、それによって、審美的な解決方法が得られる。図６および図７は、ラビリンスの実施と２つのドアフレーム部品２０ａおよび２０ｂの接続位置の構造的な形態を示す。
【００２１】
建物の構造様式に応じて、基礎支柱５ｂはもはや必要ないものになることがある。第２のドアフレーム部品２０ｂは、建物のタイプに応じて、基礎垂直材５０ｂに取り付けられてよく、または壁５ａに直接固定されてよい。熱により分離可能な接続４は、２つのドアフレーム部品２０ａおよび２０ｂを接続する。示されるように、この接続は、プラスチック材料のリベットにより行われる。例えば、接着剤を用いたり、固定部材のバイアスにより２つのドアフレーム部品を押圧したりするなどの代わりの接続解決方法が、選択的に使用可能である。接続方法の選択は、製造業者に応じて実行される。これにより、製造方法に柔軟性をもたせることで、コストが最適化された製造が得られる。
【００２２】
修理用またはコストが最適化された製造を行うために、上側および／または下側のドア支柱領域で、熱によって固定されたままの接続が可能である。２つのフレーム部品２０ａおよび２０ｂは、例えば、クロム鋼および塗装鋼板などの異なる材料からなることができる。これにより、さらなる審美的効果が得られる。
【００２３】
本発明の知識を得ることで、当業者は、所定の形状および構成を必要に応じて変更することができる。例えば、図示したドアフレームの形状および／またはドアフレームの寸法は、目的に応じて変更可能である。
【図面の簡単な説明】
【００２４】
【図１】２枚ドア扉を有するテレスコピック式ドアのエレベータ昇降路閉鎖装置の図を示す。
【図２】火災時の特徴的な挙動を示した図１に対応するエレベータ昇降路閉鎖装置の図を示す。
【図３】堅固な壁接続を有する現在知られている解決方法であり、図１の線ＩＩ−ＩＩに沿って切り取った断面図の拡大図を示す。
【図４】大きなラビリンス深さｔを有する現在知られている代替物であり、図１の線ＩＩ−ＩＩに沿って切り取った断面図の拡大図を示す。
【図５】基礎垂直材への接続を有する本発明による解決方法であり、火災時での本発明による解決方法の特徴的な挙動を略図的に示す、図１の線ＩＩ−ＩＩに沿って切り取った断面図の拡大図を示す。
【図６】壁への接続を有する本発明による解決方法である、図１の線ＩＩ−ＩＩに沿って切り取った断面図の拡大図を示す。
【図７】２つの閉鎖側ドアフレーム部品の分離位置の可能な形態である、図１の線ＩＩ−ＩＩに沿って切り取った断面図の拡大図を示す。
【符号の説明】
【００２５】
１、１ａ  ドア扉
２、２０  ドアフレーム
３  閉鎖縁領域
４  接続
５ａ、５ｂ  壁
２０ａ、２０ｂ  ドアフレーム部品
【図１】
2004338940.tif 000003
【図２】
2004338940.tif 000004
【図３】
2004338940.tif 000005
【図４】
2004338940.tif 000006
【図５】
2004338940.tif 000007
【図６】
2004338940.tif 000008
【図７】
2004338940.tif 000009
【外国語明細書】
2004338940.tif 000010
2004338940.tif 000011
2004338940.tif 000012
2004338940.tif 000013
2004338940.tif 000014
2004338940.tif 000015
2004338940.tif 000016
2004338940.tif 000017
2004338940.tif 000018
2004338940.tif 000019
2004338940.tif 000020
2004338940.tif 000021
2004338940.tif 000022
2004338940.tif 000023
2004338940.tif 000024
2004338940.tif 000025